(57)【要約】【課題】瓦棧木として用いた場合に、いかなる位置に締結部材を貫通させても、また、締結部材の締結位置が溝と重なったとしても、締結部材によってシート材等に開いた孔の部分が、流れる水に直接晒されることがなくなるようにし、下地材等を腐りにくくすることができる長尺部材を提供する。【解決手段】人工製の棒状となる長尺部材本体１２の外面の一部に防水機能を有する膜１３を貼設する。【選択図】図１
2005336799.tif 000002
【特許請求の範囲】
【請求項１】
棒状となる長尺部材本体の外面の一部に防水機能を有する膜を貼設した長尺部材。
【請求項２】
上記長尺部材本体の膜を貼設した面に、長尺部材本体の軸方向に対して交差する方向の溝を設け、前記膜をこの溝の内周面に貼設しないようにした請求項１に記載の長尺部材。
【請求項３】
上記長尺部材本体に貼設した膜が中空ハニカム構造になっている請求項１又は２に記載の長尺部材。
【発明の詳細な説明】
【技術分野】
【０００１】
この発明は、建物の屋根において瓦を葺設する場合の瓦棧木や、建物の外壁を形成する場合の胴縁等として使用するための長尺部材に関する。
【背景技術】
【０００２】
例えば、建物の屋根において瓦を葺設する場合は、図４と図５に示すように、一般的に、野地板などの下地材１等の上に、ルーフィングのようなシート材２等を敷設し、その上に木材製の瓦棧木３を釘やねじ等の締結部材で留めることにより一定間隔の配置で固定し、その上に瓦４を施工している。
【０００３】
ところで、シート材２等の上に瓦棧木３を固定すると、雨などによる浸水が生じた場合、瓦棧木３によって水Ａをせき止める形となり、このため、瓦棧木３が木製であると腐食が生じるという問題があり、このような腐食発生を防ぐため、近年、材料に合成樹脂等を用いた人工製の瓦棧木が使われるようになってきている。
【０００４】
このような人工製の瓦棧木は、当然ながら、水に対する腐食に強いので耐久性に優れているだけでなく、製造時に形を自由に設定することができるため、通水性を良くするための溝を簡単に設けることができるという利点がある（例えば、特許文献１参照）。
【０００５】
また、人工製の瓦棧木において、ルーフィングのようなシート材等に重ねる面に、シート材等側に突出する突起のついたスペーサを貼付け、瓦棧木とシート材等との間に、より多くの隙間を設けることにより、浸水した水が特定の箇所に集中しないように改善したものなどがある(例えば、特許文献２参照)。
【０００６】
【特許文献１】特開平６−２８０３５７号公報
【特許文献２】特開２００１−３４９０１８号公報
【発明の開示】
【発明が解決しようとする課題】
【０００７】
ところで、人工製の瓦棧木を釘やねじ等の締結部材でシート材等を貫通して下地材等に留めつける場合に、締結部材の締結位置が溝と重なる可能性があり、溝と重なった場合、締結部材によってシート材等に開いた孔の部分が、溝を流れる水に晒され、下地材等により多く漏水してしまう結果となり、下地材等に腐食が生じやすくなるという問題がある。
【０００８】
また、このような人工製の瓦棧木にスペーサを貼付け、浸水した水が特定の箇所に集中しないよう改善したものでも、少なからず締結部材によってシート材等に開いた孔の部分が流れる水に晒され、下地材等に漏水してしまう結果となり、下地材等が腐りやすくなるという問題点を完全に解決できるものではない。
【０００９】
そこで、この発明の課題は、瓦棧木を釘やねじ等の締結部材でシート材等を貫通して下地材等に留めつける場合に、いかなる位置に締結部材を貫通させても、また、締結部材の締結位置が溝と重なったとしても、締結部材によってシート材等に開いた孔の部分が、流れる水に直接晒されることがなくなるようにし、下地材等を腐りにくくすることができる長尺部材を提供することにある。
【課題を解決するための手段】
【００１０】
上記のような課題を解決するため、この発明は、棒状となる長尺部材本体の外面の一部に防水機能を有する膜を貼設した構成を採用したものである。
【００１１】
上記長尺部材本体の膜を貼設した面に、長尺部材本体の軸方向に対して交差する方向の溝を設け、前記膜をこの溝の内周面に貼設しないようにしたり、前記長尺部材本体に貼設した膜が中空ハニカム構造になっているようにすることができる。
【００１２】
ここで、上記長尺部材本体は、合成樹脂、アルミ、金属等の材料を用い、長方形、多角形、円形等の断面形状の棒状に形成し、膜は合成樹脂やゴム等の防水機能を有する材料を用い、長尺部材本体に対して締結部材が貫通する部分に部分的に設けたり、シート材等に重なる面の全面に設けたり、長尺部材本体の外面全体に設けるようにしてもよい。
【００１３】
また、長尺部材本体に設ける溝は単数でも複数でもよく、その形状や構造も自由に選択することができる。
【００１４】
更に、中空ハニカム構造は、上記長尺部材本体の幅方向に長い貫通孔が長尺部材本体の長さ方向に一定間隔の配置で並んだ単層構造以外に、この単層構造を重ね合わせた複層構造にしたり、中空ハニカム構造の下面に、更に防水機能を向上させるためのパッキン状やスポンジ状の防水シートを貼着するようにしてもよい。
【発明の効果】
【００１５】
この発明によると、長尺部材本体の外面の一部に防水機能を有する膜を貼設したので、長尺部材を釘やねじ等の締結部材でシート材等を貫通して下地材等に留めつける場合に、締結部材が防水機能を有する膜を貫通した後シート材等を貫通することで、締結部材によってシート材等に開いた孔は膜で閉鎖されることになり、従って、いかなる位置に締結部材を貫通させても、また、締結部材の締結位置が溝と重なったとしても、締結部材によってシート材等に開いた孔の部分が、流れる水に直接晒されることがなくなり、下地材等を腐りにくくすることができる。
【００１６】
また、長尺部材本体の膜を貼設した面に、長尺部材本体の軸方向に対して交差する溝を設けたり、上記長尺部材本体に貼設した膜を中空ハニカム構造にすると、溝や中空ハニカム構造の貫通孔によって、水を通過させてせき止めることがなくなり、下地材等への漏水を更に防止し、いっそう下地材等を腐りにくくすることができる。
【発明を実施するための最良の形態】
【００１７】
以下、この発明の実施の形態を添付図面に基づいて説明する。
【００１８】
図示のように、長尺部材１１は、棒状となる長尺部材本体１２の外面の一部に防水機能を有する膜１３を貼設した構造を有し、例えば、建物の屋根において瓦Ａを葺設する場合の瓦棧木や、建物の外壁を形成する場合の胴縁等として使用するものである。
【００１９】
上記長尺部材本体１２は、合成樹脂、アルミ、金属等の材料を用いた人工製であり、例えば、長方形の断面形状を有する長い棒状に形成され、この長尺部材本体１２に貼着する膜１３は合成樹脂やゴム等の防水機能を有する材料を用い、長尺部材本体１２に対して締結部材１４が貫通する部分に部分的に設けたり、屋根のシート部材２に重なる面の全面に設けたり、長尺部材本体１２の外面全体に設けるようにしてもよい。
【００２０】
図１に示す第１の実施の形態の長尺部材１１は、長尺部材本体１２の断面形状を長方形とし、長尺部材１１を建物の屋根において瓦４を葺設する場合の瓦棧木として使用する場合に、長尺部材本体１２のシート材２等に重ねる面の全面に膜１３を貼設した構造になっている。
【００２１】
上記した長尺部材本体１２の断面形状は、図示のような長方形に限るものではなく、各種多角形や円形でもよく、断面における上側に釘やねじ等の締結部材１４を打ち込んだりねじ込むための凹凸などを設けることができる。
【００２２】
図２に示す第２の実施の形態の長尺部材１１は、上記した第１の実施の形態において、長尺部材本体１２の膜１３を貼設した面に長尺部材本体１２の軸方向に対して交差する方向の溝１５を設けた構造になっている。
【００２３】
上記の溝１５は、図示の場合複数設けたが、長尺部材１１の長さ方向の長さの長短などによって単数であってもよく、また、この溝１５の断面形状は図示のような半円形状以外に、四角形や三角形、六角形等の他の形状を採用でき、更に、溝１５の通水方向に対して徐々に拡大又は縮小させたり、その他、通水しやすい形状や向きに設けてもよい。
【００２４】
なお、長尺部材本体１２に貼設する膜１３の溝１５に臨む部分は、図１のように、前記溝１５の内周面に貼設しないように設けられている。
【００２５】
図３に示す第３の実施の形態の長尺部材１１は、上記した第２の実施の形態において、長尺部材本体１２に貼設した膜１３に、通水性を向上させるための中空ハニカム構造１３ａを採用したものである。
【００２６】
この中空ハニカム構造１３ａは、図２の場合、上下のプレート１６間に仕切り部材１７を設け、上記長尺部材本体１２の幅方向に長い貫通孔１８が長尺部材本体１２の長さ方向に一定間隔の配置で並んだ単層構造を示したが、単層構造以外に、この単層構造を重ね合わせた複層構造にしたり、中空ハニカム構造１３ａの下面に、防水機能を更に向上させるためのパッキン状やスポンジ状の防水シートを貼着するようにしてもよい。
【００２７】
上記中空ハニカム構造１３ａにおいて、貫通孔１８の断面形状は、図示のような三角形以外に、四角形や六角形、円形等の他の形状を採用でき、更に、貫通孔１８の通水方向に対して徐々に拡大縮小したり、その他、通水しやすい形状や向きに設けてもよい。
【００２８】
この発明の長尺部材１１は、上記のような構成であり、例えば、建物の屋根において瓦を葺設する場合の瓦棧木として使用するものであり、図３のように、野地板などの下地材１等の上に、ルーフィングのようなシート材２等を敷設し、その上に長尺部材１１を釘やねじ等の締結部材１４で留めることにより一定間隔の配置で固定し、その上に瓦４を施工するものである。
【００２９】
上記長尺部材１１を釘やねじ等の締結部材１４でシート材２等を貫通して下地材１等に留めつける場合に、締結部材１４が防水機能を有する膜１３を貫通した後シート材２等を貫通することで、締結部材１４によってシート材２等に開いた孔は膜１３で閉鎖されることになり、従って、いかなる位置に締結部材１４を貫通させても、また、締結部材１４の締結位置が、図１（ｃ）に示すように溝１５と重なったり、これとは別に貫通孔１８と重なったとしても、締結部材１４によってシート材２等に開いた孔の部分が、流れる水に直接晒されることがなくなり、下地材１等を腐りにくくすることができる。
【００３０】
また、長尺部材本体１２の膜１３を貼設した面に溝１５を設けたり、上記長尺部材本体１２に貼設した膜１３を中空ハニカム構造１３ａにすると、溝１５や中空ハニカム構造１３ａの貫通孔１８によって、水を通過させてせき止めることがなくなり、下地材１等への漏水を更に防止し、いっそう下地材１等を腐りにくくすることができる。
【００３１】
なお、長尺部材１１は、上記のような建物の屋根において瓦を葺設する場合の瓦棧木として使用する以外に、建物や建物外壁の分野で、膜１３の機能を生かして調湿機能を持ちつつ結露を防いだりする外壁の通気胴縁などに用いたり、建築、建材の分野以外にも、園芸、造園、土木、海洋等の分野に広く用いることができる。
【図面の簡単な説明】
【００３２】
【図１】（ａ）は長尺部材の第１の実施の形態を示す斜視図、（ｂ）は同第２の実施の形態を示す斜視図、(ｃ)は第２の実施の形態の長尺部材を下地材等に固定する締結部材が長尺部材に設けた溝を貫通した状態を示す縦断正面図、（ｄ）は同第３の実施の形態を示す斜視図
【図２】第３の実施の形態の長尺部材を示す拡大した正面図
【図３】（ａ）は長尺部材を瓦棧木として用いた使用状態の側面図、（ｂ）は同上の要部を拡大した縦断面図
【図４】木製瓦棧木を用いた屋根の構築状態を示す斜視図
【図５】木製瓦棧木の屋根への使用状態を示す斜視図
【符号の説明】
【００３３】
１        下地材
２        シート材
３        瓦棧木
４        瓦
１１      長尺部材
１２      長尺部材本体
１３      膜
１３ａ    中空ハニカム構造
１４      締結部材
１５      溝
１６      プレート
１７      仕切り部材
１８      貫通孔
【図１】
2005336799.tif 000003
【図２】
2005336799.tif 000004
【図３】
2005336799.tif 000005
【図４】
2005336799.tif 000006
【図５】
2005336799.tif 000007